(57)【要約】【課題】  制御画面の表示処理に伴う通信トラフィックを抑制でき、低機能、低コストの制御端末を用いて、制御画面による複雑な制御を行うことができる制御システムを提供する。【解決手段】  表示制御端末１は、制御画面に配置される画像データを格納した画像データ記憶部１７と、画像データの制御画面内における配置構成を示す画面構成情報および画像データの各々に表示制御端末１の動作内容を関連付けた制御情報を取得する通信部１５と、画像データおよび画面構成情報を用いて制御画面を作成する制御部２１と、制御画面を表示するＬＣＤパネル１４６と、制御情報に基づいて、ＬＣＤパネル１４６に表示された制御画面において操作された画像データに対応する動作内容を実行する機能管理部１２とを備える。【選択図】図１
2012124862.tif 000002
【特許請求の範囲】
【請求項１】
表示制御端末と、機器の動作を管理する複数の機器制御端末とで構成され、前記表示制御端末は、前記機器制御端末の各々による前記機器の制御を行うための制御画面を表示して、この制御画面上の操作に対応する動作を行う制御システムであって、
前記表示制御端末は、前記制御画面に配置される画像データを格納した画像データ記憶部と、前記画像データの前記制御画面内における配置構成を示す画面構成情報および前記画像データの各々に前記表示制御端末の動作内容を関連付けた制御情報を取得する情報取得部と、前記画像データおよび前記画面構成情報を用いて前記制御画面を作成する制御部と、前記制御画面を表示する表示部と、前記制御情報に基づいて、前記表示部に表示された前記制御画面において操作された前記画像データに対応する動作内容を実行する機能管理部とを備える
ことを特徴とする制御システム。
【請求項２】
前記機器制御端末は、自端末が管理する前記機器を制御対象とする前記制御画面に用いられる前記画像データに対応する前記画面構成情報および前記制御情報を格納した情報蓄積部を備え、
前記表示制御端末の前記情報取得部は、前記画面構成情報および前記制御情報を前記情報蓄積部から取得する
ことを特徴とする請求項１記載の制御システム。
【請求項３】
前記表示制御端末は、前記情報取得部が取得した前記画面構成情報および前記制御情報を格納する情報記憶部を備え、
前記制御部は、所定の制御画面に用いる前記画像データに対応する前記画面構成情報および前記制御情報が前記情報記憶部に格納されているか否かを判定し、
前記所定の制御画面に用いる前記画像データに対応する前記画面構成情報および前記制御情報が前記情報記憶部に格納されていない場合、前記情報取得部は、前記画面構成情報および前記制御情報を取得し、前記制御部は、前記取得した前記画面構成情報を用いて前記所定の制御画面を作成し、前記機能管理部は、前記取得した前記制御情報に基づいて、前記所定の制御画面において操作された前記画像データに対応する動作内容を実行し、
前記所定の制御画面に用いる前記画像データに対応する前記画面構成情報および前記制御情報が前記情報記憶部に格納されている場合、前記制御部は、前記情報記憶部に格納されている前記画面構成情報を用いて前記所定の制御画面を作成し、前記機能管理部は、前記情報記憶部に格納されている前記制御情報に基づいて、前記所定の制御画面において操作された前記画像データに対応する動作内容を実行する
ことを特徴とする請求項１または２記載の制御システム。
【請求項４】
前記機器制御端末は、自端末が管理する前記機器を制御対象とする前記制御画面に用いられる前記画像データを格納した画像データ蓄積部を備え、
前記表示制御端末の前記情報取得部は、前記制御部が作成する前記制御画面において用いる前記画像データが前記画像データ記憶部に格納されていない場合、前記画像データ蓄積部から前記画像データを取得し、前記画像データ記憶部に格納する
ことを特徴とする請求項１乃至３いずれか記載の制御システム。
【請求項５】
前記表示制御端末は、前記情報取得部が取得した前記画面構成情報および前記制御情報を格納する情報記憶部を備え、
前記機器制御端末は、自端末が管理する前記機器を制御対象とする前記制御画面に用いられる前記画像データに対応する前記画面構成情報および前記制御情報を格納した情報蓄積部を備え、
前記情報取得部は、第１の前記機器制御端末が管理する特定種類の前記機器を制御対象とする前記制御画面に用いられる前記画像データに対応して前記情報記憶部に格納している前記画面構成情報および前記制御情報のバージョンと、前記特定種類の機器を管理する第２の前記機器制御端末の前記情報蓄積部に格納している前記画面構成情報および前記制御情報のバージョンとが異なる場合、前記第２の機器制御端末の前記情報蓄積部から前記画面構成情報および前記制御情報を取得して、前記情報記憶部に格納する
ことを特徴とする請求項１乃至４いずれか記載の制御システム。
【請求項６】
前記機器制御端末は、自端末が管理する前記機器を制御対象とする前記制御画面に用いられる前記画像データに対応する前記画面構成情報および前記制御情報を格納した情報蓄積部を備え、
前記表示制御端末の前記情報取得部が、前記情報蓄積部から前記画面構成情報および前記制御情報を取得した場合、前記機器制御端末は、前記取得された前記画面構成情報および前記制御情報を前記情報蓄積部から削除する
ことを特徴とする請求項１乃至５いずれか記載の制御システム。
【発明の詳細な説明】
【技術分野】
【０００１】
本発明は、制御システムに関するものである。
【背景技術】
【０００２】
従来、複数の機器制御端末の各々の配下にある機器を、１台の表示パネル付制御端末（以降、表示制御端末と称す）で制御する制御システムがある（例えば、特許文献１，２参照）。このような制御システムでは、ユーザ操作やセンサ出力等の制御トリガと各機器の状態とに基づいて、各機器が制御される。
【０００３】
例えば、表示制御端末がブラウザ機能を有し、機器制御端末がサーバ機能を有して、表示制御端末と機器制御端末とがＩＰネットワークに接続しているとする。この場合、表示制御端末のブラウザ機能が、表示制御端末の表示手段および制御指示手段となり、機器制御端末のサーバ機能が、制御対象の機器を配下に持つ。機器制御端末は、ソフトウェア等に記述された制御ロジックにしたがって、ブラウザからの制御信号に基づいて配下の機器を制御する。
【０００４】
また、表示制御端末が、機器の制御ロジックを記述したソフトウェア等を保持して、この制御ロジックにしたがって機器を制御することも可能である。この場合、表示制御端末は、機器制御端末による機器の制御を行うための制御画面をブラウザの画面上に表示し、この制御画面上のブラウザ操作に対応する制御信号を機器制御端末へ送信する。機器制御端末は、受信した制御信号に基づいて配下の機器を制御する。
【先行技術文献】
【特許文献】
【０００５】
【特許文献１】特開２０００−３５７０８３号公報
【特許文献２】特開２００２−２６８７３７号公報
【発明の概要】
【発明が解決しようとする課題】
【０００６】
上記のように表示制御端末が制御画面上の操作によって、ある機器制御端末の配下にある機器を制御する場合、この機器制御端末から制御画面に関する各情報を取得する必要があった。この制御画面に関する各情報とは、制御画面に配置されるアイコン、ボタン、テンプレート等の画像データ、画像データの制御画面内における配置構成を示す画面構成情報、画像データの各々に表示制御端末の動作内容を関連付けた制御情報である。
【０００７】
表示制御端末は、制御画面の表示処理を実行する度に、これらの画像データ、画面構成情報、制御情報を制御対象となる機器を配下とする機器制御端末から取得する必要があった。したがって、制御画面の表示処理では、表示制御端末−機器制御端末間における通信トラフィックが増大するため、特に低速通信網を用いた制御システムでは、通信が混雑し、機器制御に遅延が発生する虞があった。
【０００８】
また、高速通信網に高機能な制御端末を組み合わせることによって、制御画面による複雑な制御をリアルタイムに行うことはできるが、高コスト化を招くという課題があった。
【０００９】
本発明は、上記事由に鑑みてなされたものであり、その目的は、制御画面の表示処理に伴う通信トラフィックを抑制でき、低機能、低コストの制御端末を用いて、制御画面による複雑な制御を行うことができる制御システムを提供することにある。
【課題を解決するための手段】
【００１０】
本発明の制御システムは、表示制御端末と、機器の動作を管理する複数の機器制御端末とで構成され、前記表示制御端末は、前記機器制御端末の各々による前記機器の制御を行うための制御画面を表示して、この制御画面上の操作に対応する動作を行う制御システムであって、前記表示制御端末は、前記制御画面に配置される画像データを格納した画像データ記憶部と、前記画像データの前記制御画面内における配置構成を示す画面構成情報および前記画像データの各々に前記表示制御端末の動作内容を関連付けた制御情報を取得する情報取得部と、前記画像データおよび前記画面構成情報を用いて前記制御画面を作成する制御部と、前記制御画面を表示する表示部と、前記制御情報に基づいて、前記表示部に表示された前記制御画面において操作された前記画像データに対応する動作内容を実行する機能管理部とを備えることを特徴とする。
【００１１】
この発明において、前記機器制御端末は、自端末が管理する前記機器を制御対象とする前記制御画面に用いられる前記画像データに対応する前記画面構成情報および前記制御情報を格納した情報蓄積部を備え、前記表示制御端末の前記情報取得部は、前記画面構成情報および前記制御情報を前記情報蓄積部から取得することが好ましい。
【００１２】
この発明において、前記表示制御端末は、前記情報取得部が取得した前記画面構成情報および前記制御情報を格納する情報記憶部を備え、前記制御部は、所定の制御画面に用いる前記画像データに対応する前記画面構成情報および前記制御情報が前記情報記憶部に格納されているか否かを判定し、前記所定の制御画面に用いる前記画像データに対応する前記画面構成情報および前記制御情報が前記情報記憶部に格納されていない場合、前記情報取得部は、前記画面構成情報および前記制御情報を取得し、前記制御部は、前記取得した前記画面構成情報を用いて前記所定の制御画面を作成し、前記機能管理部は、前記取得した前記制御情報に基づいて、前記所定の制御画面において操作された前記画像データに対応する動作内容を実行し、前記所定の制御画面に用いる前記画像データに対応する前記画面構成情報および前記制御情報が前記情報記憶部に格納されている場合、前記制御部は、前記情報記憶部に格納されている前記画面構成情報を用いて前記所定の制御画面を作成し、前記機能管理部は、前記情報記憶部に格納されている前記制御情報に基づいて、前記所定の制御画面において操作された前記画像データに対応する動作内容を実行することが好ましい。
【００１３】
この発明において、前記機器制御端末は、自端末が管理する前記機器を制御対象とする前記制御画面に用いられる前記画像データを格納した画像データ蓄積部を備え、前記表示制御端末の前記情報取得部は、前記制御部が作成する前記制御画面において用いる前記画像データが前記画像データ記憶部に格納されていない場合、前記画像データ蓄積部から前記画像データを取得し、前記画像データ記憶部に格納することが好ましい。
【００１４】
この発明において、前記表示制御端末は、前記情報取得部が取得した前記画面構成情報および前記制御情報を格納する情報記憶部を備え、前記機器制御端末は、自端末が管理する前記機器を制御対象とする前記制御画面に用いられる前記画像データに対応する前記画面構成情報および前記制御情報を格納した情報蓄積部を備え、前記情報取得部は、第１の前記機器制御端末が管理する特定種類の前記機器を制御対象とする前記制御画面に用いられる前記画像データに対応して前記情報記憶部に格納している前記画面構成情報および前記制御情報のバージョンと、前記特定種類の機器を管理する第２の前記機器制御端末の前記情報蓄積部に格納している前記画面構成情報および前記制御情報のバージョンとが異なる場合、前記第２の機器制御端末の前記情報蓄積部から前記画面構成情報および前記制御情報を取得して、前記情報記憶部に格納することが好ましい。
【００１５】
この発明において、前記機器制御端末は、自端末が管理する前記機器を制御対象とする前記制御画面に用いられる前記画像データに対応する前記画面構成情報および前記制御情報を格納した情報蓄積部を備え、前記表示制御端末の前記情報取得部が、前記情報蓄積部から前記画面構成情報および前記制御情報を取得した場合、前記機器制御端末は、前記取得された前記画面構成情報および前記制御情報を前記情報蓄積部から削除することが好ましい。
【発明の効果】
【００１６】
以上説明したように、本発明では、制御画面の表示処理に伴う通信トラフィックを抑制でき、低機能、低コストの制御端末を用いて、制御画面による複雑な制御を行うことができるという効果がある。
【図面の簡単な説明】
【００１７】
【図１】実施形態１の制御システムの構成を示すブロック図である。
【図２】同上の画像データのファイル名と画像データの保存場所との対応関係を示すテーブル図である。
【図３】同上の画面構成情報を示すテーブル図である。
【図４】同上の制御画面の一例を示す図である。
【図５】同上の制御情報を示すテーブル図である。
【図６】同上の制御識別子と動作内容との対応関係を示すテーブル図である。
【図７】実施形態２の画面構成情報および制御情報の各データファイルの対応関係を示すテーブル図である。
【図８】実施形態３の画面構成情報および制御情報の各データファイルの対応関係を示すテーブル図である。
【図９】実施形態４の機器制御端末の構成を示すブロック図である。
【発明を実施するための形態】
【００１８】
以下、本発明の実施の形態を図面に基づいて説明する。
【００１９】
（実施形態１）
図１は、本実施形態の制御システムの構成を示しており、１台の表示パネル付制御端末１（以降、表示制御端末１と称す）と、複数の機器制御端末２とがネットワークＮＴ１に接続している。機器制御端末２の各々は、配下にある機器３の管理を行い、表示制御端末１からの制御信号に基づいて配下の機器３を制御する。
【００２０】
表示制御端末１は、制御部１１と、機能管理部１２と、入出力部１３と、入出力デバイス１４と、通信部１５と、通信ポート１６と、画像データ記憶部１７と、情報記憶部１８とを備える。入出力デバイス１４は、メモリカード１４１、釦スイッチ１４２、タッチパネル１４３、ブザー１４４、ＬＥＤ表示灯１４５、ＬＣＤパネル１４６とで構成され、入出力部１３によって入出力制御が行われる。
【００２１】
機器制御端末２は、制御部２１と、機能部２２と、情報蓄積部２３と、通信部２４と、通信ポート２５とを備える。機能部２２は、配下の機器３の種類毎に異なる機能を具備しており、例えば、機器３が照明器具の場合、照明器具の点灯、消灯、調光制御を行う照明制御機能を具備し、機器３が床暖房器具の場合、床暖房器具の運転、停止、温度制御を行う床暖房制御機能を具備している。この機能は、照明制御機能、床暖房制御機能に限定されるものではない。
【００２２】
なお、機器制御端末２を個別に識別する場合、機器制御端末２Ａ，２Ｂ，２Ｃ，．．．の符号を付す。さらに、機器制御端末２を機能毎に識別する場合、照明制御端末２、床暖房制御端末２等のように記す。また、機器３を種類毎に識別する場合、例えば、照明器具３、床暖房器具３等のように記す。
【００２３】
そして、表示制御端末１と機器制御端末２とは、通信ポート１６，２５をネットワークＮＴ１に接続し、通信部１５，２４がネットワーク通信のインターフェース機能を有する。
【００２４】
以下、表示制御端末１における制御画面の表示処理、および制御画面を用いた制御処理について説明する。
【００２５】
まず、表示制御端末１の画像データ記憶部１７には、制御画面に配置されるアイコン、ボタン、テンプレート等の画像データが予め格納されている。制御部１１は、図２に示すように、画像データのファイル名と、画像データ記憶部１７内における画像データの保存場所とを互いに対応させたテーブルＴＢ１を保持しており、このテーブルＴＢ１を参照して、所望の画像データを画像データ記憶部１７から読み出す。なお、テーブルＴＢ１において、画像データの保存場所の格納形式は、ディレクトリ形式以外に、メモリのアドレス形式であってもよい。
【００２６】
また、機器制御端末２の情報蓄積部２３には、自端末の制御画面に用いる画像データの制御画面内での配置構成を示す画面構成情報、自端末の制御画面に用いる画像データの各々に表示制御端末１の動作内容を関連付けた制御情報が予め圧縮して格納されている。
【００２７】
表示制御端末１は、機器制御端末２Ａの配下にある機器３を制御する場合、この機器制御端末２Ａの制御画面の表示処理を開始する。まず、制御部１１は、通信部１５を介して、制御対象となる機器３を配下とする機器制御端末２Ａにアクセスし、この機器制御端末２Ａの情報蓄積部２３から画面構成情報および制御情報を取得する。この取得した画面構成情報および制御情報は、情報記憶部１８に格納される。ここで、通信部１５が、本発明の情報取得部に相当する。
【００２８】
画面構成情報は、図３に示すように、画像データのファイル名と、制御画面内における座標（Ｘ，Ｙ）と、レイヤーとを互いに対応させたテーブルＴＢ２で構成されており、画像データの各々の制御画面内における配置構成が示されている。
【００２９】
そして制御部１１は、画像データ記憶部１７に格納しているアイコン、ボタン、テンプレート等の画像データを、機器制御端末２Ａから取得した画面構成情報に基づいて配置した制御画面を作成し、ＬＣＤパネル１４６に表示する。図４は制御画面の一例であり、アイコン、ボタン、テンプレート等の画像データＤが配置された制御画面Ｇ１を示す。
【００３０】
そして、ＬＣＤパネル１４６は、タッチパネル１４３とともにタッチスクリーンを構成しており、制御画面上に配置された画像データであるアイコン、ボタン等が押下操作される。機能管理部１２は、制御情報を参照して、押下された画像データに対応する動作を行う。
【００３１】
制御情報は、図５に示すように、画像データのファイル名と、制御識別子とを互いに対応させたテーブルＴＢ３で構成されている。ここで、制御識別子とは、押下された画像データに応じて機能管理部１２が実行する動作内容（機能）の各々に付与されている。機能管理部１２は、図６に示すように、制御識別子と、動作内容とを互いに対応させたテーブルＴＢ４を保持しており、このテーブルＴＢ４を参照して、押下された画像データに対応する制御識別子に関連付けられた動作内容を実行する。
【００３２】
例えば、リビングに設置された照明器具３を配下とする照明制御端末２Ａ、ダイニングに設置された床暖房器具３を配下とする床暖房制御端末２Ｃを含むシステム構成とし、図６のテーブルＴＢ４を用いて、以下、説明する。
【００３３】
まず、表示制御端末１の機能管理部１２は、制御画面上で制御識別子［００４］に対応するアイコンが押下された場合、リビングの照明器具３を点灯させるために、照明制御端末２Ａへ、照明器具３を点灯させる制御信号を送信する。照明制御端末２Ａは、配下の照明器具３を点灯制御する。また、表示制御端末１の機能管理部１２は、制御画面上で制御識別子［００５］に対応するアイコンが押下された場合、リビングの照明器具３を消灯させるために、照明制御端末２Ａへ、照明器具３を消灯させる制御信号を送信する。照明制御端末２Ａは、配下の照明器具３を消灯制御する。
【００３４】
さらに、表示制御端末１の機能管理部１２は、制御画面上で制御識別子［００６］に対応するアイコンが押下された場合、ダイニングの床暖房器具３を運転するために、床暖房制御端末２Ｃへ、床暖房器具３を運転開始させる制御信号を送信する。床暖房制御端末２Ｃは、配下の床暖房器具３の運転を開始する。また、表示制御端末１の機能管理部１２は、制御画面上で制御識別子［００７］に対応するアイコンが押下された場合、ダイニングの床暖房器具３を停止させるために、床暖房制御端末２Ｃへ、床暖房器具３を停止させる制御信号を送信する。床暖房制御端末２Ｃは、配下の床暖房器具３を停止制御する。
【００３５】
また、表示制御端末１の機能管理部１２は、以下の動作内容も実行する。制御画面上で制御識別子［００１］に対応するアイコンが押下された場合、ＬＥＤ表示灯１４５を点灯／消灯制御する。制御画面上で制御識別子［００２］に対応するアイコンが押下された場合、ブザー１４４を鳴動させる。制御画面上で制御識別子［００３］に対応するアイコンが押下された場合、ＬＣＤパネル１４６のバックライトのレベル調整を行う。
【００３６】
このように、表示制御端末１は、データ量が大きい画像データを予め画像データ記憶部１７に格納している。そして、制御システムが稼動している運用時において、表示制御端末１において制御画面を作成する必要があれば、制御対象となる機器３を配下とする機器制御端末２から、画面構成情報および制御情報を取得して、情報記憶部１８に格納する。すなわち、データ量が大きい画像データを機器制御端末２から取得する必要がなく、制御画面の表示処理に伴う通信トラフィックを抑制できる。したがって、低機能、低コストの表示制御端末１および機器制御端末２を用いて、制御画面による複雑な制御を行うことができる。
【００３７】
（実施形態２）
本実施形態の制御システムは、実施形態１と同様の構成を備え、同様の構成には同一の符号を付して説明は省略する。
【００３８】
まず、本実施形態では、表示制御端末１が、機器制御端末２から画面構成情報および制御情報を取得するタイミングが、システム運用時ではなく、システム施工時となる。すなわち、表示制御端末１および機器制御端末２をネットワークＮＴ１に接続し、表示制御端末１が機器制御端末２の各々と通信可能になった時点で、施工者の操作によって、表示制御端末１は、機器制御端末２の各々から画面構成情報および制御情報を取得する。表示制御端末１は、取得した画面構成情報および制御情報を情報記憶部１８に格納しておく。
【００３９】
表示制御端末１が機器制御端末２から取得する画面構成情報および制御情報は、図７に示すように、機器制御端末の識別子と、画面構成情報のデータファイルと、制御情報のデータファイルとを互いに対応させたテーブルＴＢ５で構成されている。そして、画面構成情報のデータファイルおよび制御情報のデータファイルには、画面構成情報（図３のテーブルＴＢ２）および制御情報（図５のテーブルＴＢ３）が格納されている。
【００４０】
そして、システム運用時において、表示制御端末１は、制御画面を作成する必要があれば、機器制御端末２から画面構成情報および制御情報を取得することなく、情報記憶部１８に格納している画面構成情報および制御情報を用いる。
【００４１】
すなわち、制御部１１は、画像データ記憶部１７に格納しているアイコン、ボタン、テンプレート等の画像データを、情報記憶部１８に施工時に格納した画面構成情報に基づいて配置した制御画面を作成し、ＬＣＤパネル１４６に表示する。
【００４２】
また、機能管理部１２は、情報記憶部１８に施工時に格納した制御情報を参照して、押下された画像データに対応する動作を行う。
【００４３】
このように、表示制御端末１は、システムの施工時に機器制御端末２の各々から画面構成情報および制御情報を一括して取得するので、施工後のシステム運用時における制御画面の表示処理に伴う通信トラフィックをさらに抑制できる。
【００４４】
（実施形態３）
本実施形態の制御システムは、実施形態２と同様に、表示制御端末１が画面構成情報および制御情報を機器制御端末２から取得するタイミングが、システム運用時ではなく、システム施工時となる。しかし、同一種類の機器３を配下として、同じ画面構成情報および制御情報を保持する機器制御端末２が複数存在する場合、全ての機器制御端末２から画面構成情報および制御情報を取得することなく、既に取得した画面構成情報および制御情報を流用する。
【００４５】
ここで、機器制御端末２は、照明制御機能、床暖房制御機能等の機能毎に付与された機能識別子を予め保持しており、画面構成情報および制御情報には、この機能識別子が付加されている。すなわち、表示制御端末１の制御部１１は、情報記憶部１８に格納している画面構成情報および制御情報が用いられる機器制御端末２の種別を判別できる。
【００４６】
例えば、表示制御端末１が、照明制御端末２Ａから画面構成情報および制御情報を取得して、情報記憶部１８に格納した後に、照明制御端末２Ｂから画面構成情報および制御情報を取得する場合、以下の処理を行う。
【００４７】
まず、制御部１１は、照明制御端末２Ｂにアクセスして、照明制御端末２Ｂの機能識別子［照明制御機能］を取得し、この取得した機能識別子［照明制御機能］を付加された画面構成情報および制御情報が既に情報記憶部１８に格納されているか否かを判定する。この場合、照明制御端末２Ａの画面構成情報および制御情報に機能識別子［照明制御機能］が付加されており、機能識別子［照明制御機能］を付加された画面構成情報および制御情報が情報記憶部１８に既に格納されていると判定する。而して、制御部１１は、照明制御端末２Ｂから新たな画面構成情報および制御情報を取得しない。そして、制御部１１は、情報記憶部１８に既に格納している照明制御端末２Ａの画面構成情報および制御情報を、照明制御端末２Ｂの画面構成情報および制御情報として情報記憶部１８に格納する（図８のテーブルＴＢ５参照）。
【００４８】
また、制御部１１は、機能識別子［照明制御機能］を付加された画面構成情報および制御情報が情報記憶部１８にまだ格納されていない場合、機能識別子［照明制御機能］を付加された画面構成情報および制御情報を照明制御端末２Ｂから取得する。そして、制御部１１は、この取得した画面構成情報および制御情報を情報記憶部１８に格納する。
【００４９】
このように、表示制御端末１は、同じ画面構成情報および制御情報を保持する機器制御端末２がシステム内に複数存在する場合、既に取得している画面構成情報および制御情報を流用する。したがって、施工時に画面構成情報および制御情報を表示制御端末１に登録する際に、通信トラフィックを低減でき、さらには施工時間も短縮可能となる。
【００５０】
なお、他の構成は実施形態２と同様であり、同様の構成には同一の符号を付して説明は省略する。
【００５１】
（実施形態４）
本実施形態の制御システムは、実施形態１と同様の構成を備え、同様の構成には同一の符号を付して説明は省略する。
【００５２】
まず、本実施形態の機器制御端末２は、図９に示すように、画像データ蓄積部２６を備えている。画像データ蓄積部２６は、自端末の制御画面に用いる画像データが予め格納されている。
【００５３】
そして、表示制御端末１は、機器制御端末２Ａの配下にある機器３を制御する場合、この機器制御端末２Ａの制御画面の表示処理を開始する。まず、制御部１１は、通信部１５を介して、制御対象となる機器３を配下とする機器制御端末２Ａにアクセスし、この機器制御端末２Ａから画面構成情報および制御情報を取得する。この取得した画面構成情報および制御情報は、情報記憶部１８に格納される。
【００５４】
そして制御部１１は、画像データ記憶部１７に格納しているアイコン、ボタン、テンプレート等の画像データを、機器制御端末２Ａから取得した画面構成情報に基づいて配置した制御画面を作成し、ＬＣＤパネル１４６に表示する。
【００５５】
このとき、画面構成情報に記述されている画像データが画像データ記憶部１７に格納されていない場合、制御部１１は、機器制御端末２Ａの画像データ蓄積部２６からこの不足している画像データを取得し、画像データ記憶部１７に格納する。そして、この新たに格納した画像データを用いて制御画面を作成する。
【００５６】
このように、システムの施工後に新規の機器制御端末２が開発されるなどして、表示制御端末１が画像データを保持していない場合でも、新規の機器制御端末２から画像データを取得して、制御画面を作成することができる。
【００５７】
なお、本実施形態の構成を実施形態２，３に適用して、実施形態２，３においても上記同様の効果を得ることは可能である。
【００５８】
（実施形態５）
本実施形態の制御システムは、実施形態３と同様に、システム施工時に表示制御端末１が画面構成情報および制御情報を機器制御端末２から取得する。そして、同じ画面構成情報および制御情報を保持する同種類の機器制御端末２がシステム内に複数存在する場合、既に取得している画面構成情報および制御情報を流用する。
【００５９】
しかしながら、画面構成情報および制御情報にはバージョン情報が付加されており、同じ種類の機器制御端末２であっても、保持している画面構成情報および制御情報のバージョンが異なる場合がある。そこで、既に格納している画面構成情報および制御情報と同種類の画面構成情報および制御情報であっても、そのバージョン情報が互いに異なれば、バージョンが異なる画面構成情報および制御情報を新たに取得する。
【００６０】
例えば、表示制御端末１が、照明制御端末２Ａから画面構成情報および制御情報を取得して、情報記憶部１８に格納した後に、照明制御端末２Ｂから画面構成情報および制御情報を取得する場合、以下の処理を行う。
【００６１】
まず、制御部１１は、照明制御端末２Ｂにアクセスして、照明制御端末２Ｂが保持している画面構成情報および制御情報のバージョン情報を取得する。そして、制御部１１は、照明制御端末２Ｂの画面構成情報および制御情報のバージョン情報が、既に情報記憶部１８に格納されている照明制御端末２Ａの画面構成情報および制御情報のバージョン情報に一致するか否かを判定する。
【００６２】
そして、制御部１１は、照明制御端末２Ｂのバージョン情報が、既に情報記憶部１８に格納されている照明制御端末２Ａのバージョン情報に一致する場合、照明制御端末２Ｂから新たな画面構成情報および制御情報を取得しない。そして、制御部１１は、情報記憶部１８に既に格納している照明制御端末２Ａの画面構成情報および制御情報を、照明制御端末２Ｂの画面構成情報および制御情報として情報記憶部１８に格納する（図８のテーブルＴＢ５参照）。
【００６３】
また、制御部１１は、照明制御端末２Ｂのバージョン情報が、既に情報記憶部１８に格納されている照明制御端末２Ａのバージョン情報に一致しない場合、照明制御端末２Ｂから画面構成情報および制御情報を取得する。そして、制御部１１は、新たに取得した照明制御端末２Ｂの画面構成情報および制御情報を情報記憶部１８に格納する（図７のテーブルＴＢ５参照）。
【００６４】
このように、システム内にバージョン情報が異なる画面構成情報および制御情報を保持する同一種類の機器制御端末２がシステム内に複数存在する場合でも、表示制御端末１は、バージョンの異なる情報のみを新規に取得できる。したがって、施工時に画面構成情報および制御情報を表示制御端末１に登録する際に、通信トラフィックを低減できるとともに、機器制御端末２の各々に適合するバージョンの画面構成情報および制御情報を登録できる。ここで、同一種類の機器制御端末２とは、同一種類の機器３を管理する機器制御端末２のことである。
【００６５】
なお、他の構成は実施形態３と同様であり、同様の構成には同一の符号を付して説明は省略する。
【００６６】
（実施形態６）
本実施形態の制御システムは、実施形態１乃至５いずれかにおいて、以下の処理を行う。
【００６７】
表示制御端末１が画面構成情報および制御情報を機器制御端末２の情報蓄積部２３から取得した後、機器制御端末２の制御部２１は、取得された画面構成情報および制御情報を情報蓄積部２３から削除する。したがって、機器制御端末２では、情報蓄積部２３のメモリ容量を増やすことができ、以降、メモリ容量の増大分を、自端末内のメモリ資源として用いる。このように、機器制御端末２は、情報蓄積部２３のメモリ資源を有効に活用可能となる。
【００６８】
なお、上記各実施形態において、表示制御端末１の制御部１１は、通信部１５を用いて、画面構成情報および制御情報を機器制御端末２から取得している。しかし、画面構成情報および制御情報をメモリカード１４１に格納し、このメモリカード１４１を入出力部１３のメモリスロットに装着して、制御部１１が、画面構成情報および制御情報をメモリカード１４１から取得してもよい。この場合、情報蓄積部はメモリカード１４１となり、情報取得部はメモリカード１４１を装着する入出力部１３となる。
【００６９】
また、システムの稼動前に、表示制御端末１が、画像データだけでなく、画面構成情報および制御情報を予め取得し、以降、自端末に格納した画像データ、画面構成情報、制御情報を用いて、表示処理、制御処理を行ってもよい。
【００７０】
また、上記各実施形態において、表示制御端末１が機器制御端末２へ制御信号を送信する制御トリガとして、制御画面上の操作を例示している。しかし、ネットワークＮＴ１上のセンサ等の他の端末からの信号や、表示制御端末１内のタイマ回路の計時信号等を、制御トリガとして用いてもよい。
【符号の説明】
【００７１】
１  表示制御端末
１１  制御部
１２  機能管理部
１３  入出力部
１４  入出力デバイス
１５  通信部（情報取得部）
１６  通信ポート
１７  画像データ記憶部
１８  情報記憶部
１４３  タッチパネル
１４６  ＬＣＤパネル（表示部）
２  機器制御端末
２１  制御部
２２  機能部
２３  情報蓄積部
３  機器
【図１】
2012124862.tif 000003
【図２】
2012124862.tif 000004
【図３】
2012124862.tif 000005
【図４】
2012124862.tif 000006
【図５】
2012124862.tif 000007
【図６】
2012124862.tif 000008
【図７】
2012124862.tif 000009
【図８】
2012124862.tif 000010
【図９】
2012124862.tif 000011